(57)【要約】【課題】飼育室内への外気のきめ細かな導入若しくは遮断、並びに飼育室内の飼育状況の確認作業などを簡単且つ確実に行なえる蜜蜂の飼育箱を提供する。【解決手段】飼育室の出入口を有する元箱体と、前記元箱体上に載置される継ぎ箱体と、前記継ぎ箱体の上部開口を閉鎖するための上蓋とが備えられた蜜蜂の飼育箱であって、前記継ぎ箱体の上端部とこの継ぎ箱体に載置された上蓋との間には、継ぎ箱体に対する上蓋の載置方向の変更により開閉される上部換気口が設けられるとともに、前記元箱体の下端部には下部換気口が設けられて、前記下部換気口には、この下部通気口の開口量を調整可能とする開口量調整体が設けられ、また前記元箱体には、飼育室内の覗き窓が設けられ、この覗き窓には開閉扉が備えられている。【選択図】図１
2011036218.tif 000002
【特許請求の範囲】
【請求項１】
飼育室の出入口を有する元箱体と、前記元箱体上に載置される継ぎ箱体と、前記継ぎ箱体の上部開口を閉鎖するための上蓋とが備えられた蜜蜂の飼育箱であって、前記継ぎ箱体の上端部とこの継ぎ箱体に載置された上蓋との間には、継ぎ箱体に対する上蓋の載置方向の変更により開閉される上部換気口が設けられるとともに、前記元箱体の下端部には下部換気口が設けられて、前記下部換気口には、この下部通気口の開口量を調整可能とする開光量調整体が設けられていることを特徴とする蜜蜂の飼育箱。
【請求項２】
前記元箱体と前記継ぎ箱体の少なくともいずれか一方には、飼育室内の覗き窓が設けられ、この覗き窓には開閉扉が備えられていることを特徴とする請求項１に記載の飼育箱。
【請求項３】
前記上蓋の上面には、防水部材が敷設されていることを特徴とする請求項１または２に記載の飼育箱。
【発明の詳細な説明】
【技術分野】
【０００１】
本発明は、主として日本蜜蜂を飼育するための飼育箱に関する。
【背景技術】
【０００２】
一般に蜜蜂を飼育するための飼育箱は、直方体に形成された元箱体と、同じく直方体に形成されて前述の元箱体上に積み重ねて用いる継箱体と、この継箱体の上部開口を閉鎖するための上蓋とが備えられている。
【０００３】
そして箱本体の側面下部には、いわゆる巣門と称される出入口が設けられて、この出入口から元箱体及び継箱体で画成される飼育室内への出入りを行なわせて、飼育室内において蜜蜂を飼育するようにしている。（特許文献１参照）。
【０００４】
ところで以上の飼育箱は、気温が高くなる夏場には、飼育室内の空気を外部に換気して、飼育室に新鮮な外気を導入しながら飼育室内を冷却する必要があり、また気温の低い冬場には、冷たい外気が飼育室に入り込むのを極力抑制して、飼育室内の温度が不用意に低下しないように管理する必要がある。
【０００５】
しかしながら従来のこの種の飼育箱では、前記した特許文献１にも見られるように、複数の通気孔が元箱本体や上蓋に単に設けられているだけであるので、飼育室内全体の換気をきめ細かく調整することが難しく、そのため、飼育室全体を状況に応じて効率良く冷却若しくは保温することは困難であり、ともすると飼育室で飼育している蜜蜂が大量に死んでしまう不具合も考えられる。
【先行技術文献】
【特許文献】
【０００６】
【特許文献１】特開平９−２２４５２０号
【発明の概要】
【発明が解決しようとする課題】
【０００７】
本発明は、以上の実情に鑑みて開発したものであって、目的とするところは、飼育室内への外気のきめ細かな導入若しくは遮断、並びに飼育室内の飼育状況の確認作業などを簡単且つ確実に行なえる蜜蜂の飼育箱を提供することにある。
【課題を解決するための手段】
【０００８】
以上の目的を達成するために、請求項１に記載の発明は、飼育室の出入口を有する元箱体と、前記元箱体上に載置される継ぎ箱体と、前記継ぎ箱体の上部開口を閉鎖するための上蓋とが備えられた蜜蜂の飼育箱であって、前記継ぎ箱体の上端部とこの継ぎ箱体に載置された上蓋との間には、継ぎ箱体に対する上蓋の載置方向の変更により開閉される上部換気口が設けられるとともに、前記元箱体の下端部には下部換気口が設けられて、前記下部換気口には、この下部通気口の開口量を調整可能とする開口量調整体が設けられていることを特徴とする。
【０００９】
請求項２に記載の発明は、請求項１に記載の飼育箱において、前記元箱体と前記継ぎ箱体の少なくともいずれか一方には、飼育室内の覗き窓が設けられ、この覗き窓には開閉扉が備えられていることを特徴とする。
【００１０】
請求項３に記載の発明は、請求項１または２に記載の飼育箱において、上蓋の上面には、防水部材が敷設されていることを特徴とする。
【発明の効果】
【００１１】
請求項１に記載の発明によれば、継ぎ箱体に対する上蓋の載置方向の変更と開口量調整体による下部通気口の開口量の調整とにより、飼育室内への外気のきめ細かな導入作業若しくは遮断作業が行なえ、飼育室内での蜜蜂の飼育環境を向上させることが出来る。
【００１２】
請求項２に記載の発明によれば、前記元箱体と前記継ぎ箱体の少なくともいずれか一方に覗き窓が設けられ、この覗き窓には開閉扉が備えられていることから、請求項１に記載の発明の効果に加え、開閉扉の開操作により、覗き窓から飼育室内の飼育状況の確認作業などを簡単且つ確実に行なえる。
【００１３】
請求項３に記載の発明によれば、防水部材が上蓋の上面に敷設されているので、請求項１または２に記載の発明の効果に加え、飼育室内への雨水等の侵入を確実に防ぐことが出来る。
【図面の簡単な説明】
【００１４】
【図１】本発明にかかる飼育箱の一実施形態を示し、上部換気口及び下部換気口を開いた状態の飼育箱の斜視図。
【図２】同、正面図。
【図３】同、側面図。
【図４】図２におけるＸ−Ｘ線断面図
【図５】図３におけるＹ−Ｙ線断面図。
【図６】上部換気口及び下部換気口を閉じた状態の飼育箱の斜視図
【図７】上部換気口及び下部換気口を閉じた状態での図４に対応する断面図。
【図８】上部換気口及び下部換気口を閉じた状態での図５に対応する断面図。
【図９】底枠体の斜視図。
【図１０】網体の斜視図。
【図１１】巣礎の斜視図。
【発明を実施するための形態】
【００１５】
以下、本発明にかかる飼育箱の一実施形態を説明する。
【００１６】
先ず図１は、飼育箱の一実施形態を示す斜視図、図２は、その正面図、図３は、同じく側面図、図４は、図２におけるＸ−Ｘ線断面図、図５は、図３におけるＹ−Ｙ線断図である。
【００１７】
図において符号１で示す飼育箱は、基本的には、直方体に形成された元箱体２と、同じく直方体に形成された継ぎ箱体３と、この継ぎ箱体３の上部開口を閉鎖するための上蓋４とから構成されている。
【００１８】
元箱体２は、前後側板２１ａ・２１ｂと左右側板２１ｃ・２１ｄとで四角の筒状に組まれた元箱本体２１と、この元箱本体２１の下部開口周りに取り付けられる底枠体２２とから構成され、底枠体２２内の開口を下部換気口２３として用いるとともに、元箱本体２１内の飼育室Ｓには、図４に示すように、えさ箱２４を装填するようにしている。
【００１９】
元箱本体２１を構成する前側板２１ａには、飼育室Ｓ内を覗くための覗き窓２５が設けられ、この覗き窓２５には開閉扉２５ａが取り付けられている。
【００２０】
前述の開閉扉２５ａは、前側板２１ａに対してその外側面に沿って上下方向にスライド可能に配置されている。
【００２１】
底枠体２２は、下部換気口２３の外周を囲む前後枠片２２ａ・２２ｂと左右枠片２２ｃ・２２ｄとから組まれた枠部材２２０と、この枠部材内に張られた目の荒い金網２２１とが備えられており、枠部材２２０上には、この底枠２２０上に載置する元箱本体２の下端部が嵌合可能な嵌合枠部２２２が設けられている。
【００２２】
また左右枠片２２ｃ・２２ｄの内側面には、これら枠片２２ｃ・２２ｄの長さ方向に延びるガイド溝２２３が形成され、下部換気口２３の開口量を調整するためのプレート状の開口量調整体２２４が前記ガイド溝２２３を介してスライド可能に取り付けられている。
【００２３】
また前部枠片２２ａには、飼育室Ｓの出入口２６が設けられている。
【００２４】
継ぎ箱体３は、同じく前後側板３１ａ・３１ｂと左右側板３１ｃ・３１ｄとにより四角の筒状に組まれた継ぎ箱本体３１と、この継ぎ箱本体３１の上部開口端に載置する網体３２とが備えられ、継ぎ箱本体３１の上部開口を上部換気口３３として用いられる。
【００２５】
なお、網体３２は、飼育箱１における最上位置に置かれる継ぎ箱体２にのみ用いられる。
【００２６】
継ぎ箱本体３１における左右側板３１ｃ・３１ｄ及び後側板３１ｂの外面には、上下方向に延びる位置決め杆３４が固定されると共に、この位置決め杆３４の下部が左右側板３１ｃ・３１ｄ及び後側板３１ｂの下端よりも下方に突出しており、継ぎ箱本体３１を上下に積み重ねた時、左右側板３１ｃ・３１ｄ及び後側板３１ｂの下端から下方に突出する位置決め杆３４の下部が下方に位置する継ぎ箱本体３１若しくは元箱本体２１の外側面に沿わせることで、元箱体２乃至継ぎ箱体３が互いにズレなく上下に積み重なるようにしている。
【００２７】
また元箱本体２１を構成する左右側板２１ｃ・２１ｄ並びに継ぎ箱本体３１を構成する    左右側板３１ｃ・３１ｄの上端面には、それぞれ一対の嵌合溝３５が設けられ、別途形成した巣保持杆３６の長さ方向両端部を前述の嵌合溝３５にそれぞれ嵌め込むことにより、巣保持杆３６を元箱本体２１並びに継ぎ箱本体３１の上部開口に対して交差するように配設している。
【００２８】
網体３２は、前後枠片３７ａ・３７ｂと左右枠片３７ｃ・３７ｄとにより平面視矩形状に組まれた枠体３７と、この枠体３７内に張られた網部材３８とから成り、網部材３８は、目の細かな金網を用いている。
【００２９】
そして、枠体３７を構成する前後枠片３７ａ・３７ｂの上面を、同じく枠体３７を構成する左右枠片３７ｃ・３７ｄの上面よりも一段高くしている。
【００３０】
上蓋４は、継ぎ箱本体３１の上端に載置された網体３２上に載せて、継ぎ箱本体３１の上部換気口３３を開閉するものであって、上部開口を覆う平面視長方形のパネルからなる蓋本体４１と、この蓋本体４１の下面に所定間隔あけて平行に組み付けられて前記網体３２の枠体３７の前後枠片３７ａ・３７ｂ並びに左右枠片３７ｃ・３７ｄの外側面に重合可能な一対の重合杆４２・４３とから構成されている。
【００３１】
また蓋本体４１の上面には防水部材としての防水シート４４を敷設している。
【００３２】
この防水シート４４の敷設により、飼育室Ｓ内への雨水等の侵入を防いでいる。
【００３３】
次に以上の構成からなる飼育箱１の使用例を説明する。
【００３４】
飼育箱１の使用の開始に際しては、通常、図１にも示すように、１つの元箱体１上に２個の継ぎ箱体本体３１を順次積み重ねると共に、最上段の継ぎ箱本体３１上に網体３２を載せ、さらにこの網体３２上に上蓋４をセットして用いるのである。
【００３５】
そして飼育室Ｓ内で飼育している蜜蜂が巣保持杆３６を介して飼育室S内に巣を吊り下げるように作るのであって、飼育室Ｓ内の蜜蜂や巣の状況をチェックしたい場合には、開閉扉２５ａを上方に持上げて覗き窓２５を開くことで、覗き窓２５から飼育室Ｓ内を容易に観察することが出来るし、またえさ箱２４への砂糖水などの餌の補給もこの覗き窓２５から容易に行なえる。
【００３６】
なお、飼育室Ｓ内の巣が大きくなってくれば、元箱体２とこの元箱体２上に置かれている継ぎ箱体３との間に別の継ぎ箱体３を介装すればよい。
【００３７】
ところで、夏場などにおいて、飼育室Ｓ内の室温が所定の温度よりも上昇してきた場合には、上蓋４を図６に示す状態から水平方向に９０度回転させて網体３２上にセットするのであって、これにより、上蓋４の重合杆４２・４３が網体３２における前後枠片３３ａ・３３ｂの外側面側に重合して、図１、図２、図５にも示すように、蓋本体４１の下面と背の低い左右枠片３７ｃ・３７ｄとの間に飼育箱１の外部と飼育室Ｓ内とを連絡する所定の上部換気口３３が開口する。
【００３８】
また元箱体２１を構成する底枠体２２の開口量調整体２２４を手前に引き出し、図５にも示すように、下部換気口２３を適宜開くのであって、この時、開口量調整体２２４の手前への引き出し量の調整により、下部換気口２３の開口量もリニアに調整することが出来る。
【００３９】
これにより、例えば下部換気口２３から流入する外気が、飼育室Ｓの下部から上部に向かって縦断するように通過した後、上部換気口３３から外部に排出されて、飼育室Ｓ内が効率よく換気される。
【００４０】
しかも下部換気口２３の開口量を適宜調整することが出来るので、飼育室Ｓ内の温度状況に応じた細かな温度調整が効率良く行なえる。
【００４１】
また飼育室Ｓ内の温度調整を行なう上において、例えば上部換気口３３を閉じて、下部換気口２３のみを適宜開放し、あるいは上部換気口３３を開いて下部換気口２３を全閉するなどして、飼育室Ｓ内の状況に応じたきめ細かい換気が行なえる。
【００４２】
一方、冬場などにおいて、飼育室Ｓ内の室温が所定の温度よりも低下してきた場合には、上蓋４を図１に示す状態から水平方向に９０度回転させてセットすることで、図６及び図８にも示すように、上蓋４の重合杆４２・４３を網体３２における左右枠片３７ｃ・３７ｄの外側面側に重合させて、蓋本体４１の下面と左右枠片３７ｃ・３７ｄの上面との間の上部換気口３３を閉じる。
【００４３】
また元箱体２１を構成する底枠体２２の開口量調整体２２４を飼育室Ｓ内に格納する方向に移動させて、図７にも示すように、下部換気口２３をも閉じるのであって、これにより、飼育室Ｓ内への冷たい外気の侵入を確実に防ぐことが出来る。
【００４４】
斯くして、以上の飼育箱１では、夏場における飼育室Ｓ内の温度上昇や、冬場における飼育室Ｓ内の温度低下によって蜜蜂が不用意に死ぬ事故を未然に回避することが可能となる。
【００４５】
以上の実施形態では、元箱本体２１を構成する左右側板２１ｃ・２１ｄ並びに継ぎ箱本体３１を構成する左右側板３１ｃ・３１ｄの上端面に嵌合溝３５を設けて、別途形成した巣保持杆３６の長さ方向両端部を前述の嵌合溝３５にそれぞれ嵌め込むことにより、巣保持杆３６を元箱本体２１並びに継ぎ箱本体３１の上部開口に対して交差するように配設したが、これに限定されるものではなく、巣保持杆３６に替えて例えば図１１に示す巣礎５を飼育室Ｓに装填するようにしてもよい。
【００４６】
また以上の実施形態では、覗き窓２５を元箱体２にのみ設けたが、これに限定されるものではなく、覗き窓２５を継ぎ箱体３にのみ設けてもよいし、あるいは覗き窓２５を元箱体２及び継ぎ箱体３の両者に設けてもよい。
【符号の説明】
【００４７】
１      飼育箱
２      元箱体
２１    元箱本体
２２    底枠体
２３    下部換気口
２５    出入口
２６    覗き窓
２６ａ  開閉扉
３      継ぎ箱体
３１    継ぎ箱本体
３２    網体
３３    上部換気口
３４    位置決め杆
４      上蓋
４１    蓋本体
４２    重合杆
Ｓ      飼育室
【図１】
2011036218.tif 000003
【図２】
2011036218.tif 000004
【図３】
2011036218.tif 000005
【図４】
2011036218.tif 000006
【図５】
2011036218.tif 000007
【図６】
2011036218.tif 000008
【図７】
2011036218.tif 000009
【図８】
2011036218.tif 000010
【図９】
2011036218.tif 000011
【図１０】
2011036218.tif 000012
【図１１】
2011036218.tif 000013